(57)【要約】【課題】  透明パネルの裏面だけを支持するものでありながら、透明パネルやエキサイタを保護できるだけでなく、メンテナンス性及び汎用性の低下を回避する。【解決手段】  表示画面の前方に設けられるパネル型スピーカ１０であって、表示画面の前方を覆う透明パネル１１と、透明パネル１１の裏面に取り付けられ、透明パネル１１を振動させるエキサイタ１２と、透明パネル１１の裏側で、透明パネル１１及びエキサイタ１２を弾性的に支持する支持パネル１５と、透明パネル１１を支持することなく、透明パネル１１の外周を囲み、少なくとも一部が透明パネル１１よりも前方に突出する外装部材１６とを備える。【選択図】      図２
2005197868.tif 000002
【特許請求の範囲】
【請求項１】
表示画面の前方に設けられるパネル型スピーカであって、
前記表示画面の前方を覆う透明パネルと、
前記透明パネルの裏面に取り付けられ、前記透明パネルを振動させるエキサイタと、
前記透明パネルの裏側で、前記透明パネル及び前記エキサイタを弾性的に支持する支持パネルと、
前記透明パネルを支持することなく、前記透明パネルの外周を囲み、少なくとも一部が前記透明パネルよりも前方に突出する外装部材と
を備えることを特徴とするパネル型スピーカ。
【請求項２】
表示画面の前方にパネル型スピーカを備えるディスプレイ装置であって、
前記パネル型スピーカが、
前記表示画面の前方を覆う透明パネルと、
前記透明パネルの裏面に取り付けられ、前記透明パネルを振動させるエキサイタと、
前記透明パネルの裏側で、前記透明パネル及び前記エキサイタを弾性的に支持する支持パネルとを備え、
前記ディスプレイ装置の外観を構成する外装部材が、
前記透明パネルを支持することなく、前記透明パネルの外周を囲み、少なくとも一部が前記透明パネルよりも前方に突出する
ことを特徴とするディスプレイ装置。
【請求項３】
前記外装部材が、前記支持パネル及び／又は前記ディスプレイ装置の背面外装部材に着脱自在に取り付けられることを特徴とする請求項２記載のディスプレイ装置。
【請求項４】
ヒンジ部を介して折り畳み自在に連結される複数の筐体と、少なくとも一つの前記筐体に設けられる表示画面と、その前方に設けられるパネル型スピーカとを備える折り畳み式情報処理装置であって、
前記パネル型スピーカが、
前記表示画面の前方を覆う透明パネルと、
前記透明パネルの裏面に取り付けられ、前記透明パネルを振動させるエキサイタと、
前記透明パネルの裏側で、前記透明パネル及び前記エキサイタを弾性的に支持する支持パネルとを備え、
前記折り畳み式情報処理装置の外観を構成する外装部材が、
前記透明パネルを支持することなく、前記透明パネルの外周を囲み、少なくとも一部が前記透明パネルよりも前方に突出する
ことを特徴とする折り畳み式情報処理装置。
【請求項５】
前記外装部材が、前記支持パネル及び／又は前記折り畳み式情報処理装置の背面外装部材に着脱自在に取り付けられることを特徴とする請求項４記載の折り畳み式情報処理装置。
【請求項６】
前記外装部材に、前記ヒンジ部を覆うヒンジカバーが一体的に形成されることを特徴とする請求項４又は５記載の折り畳み式情報処理装置。
【発明の詳細な説明】
【技術分野】
【０００１】
本発明は、表示画面の前方に設けられるパネル型スピーカ、又は、表示画面の前方にパネル型スピーカを備えるディスプレイ装置及び折り畳み式情報処理装置に関する。
【背景技術】
【０００２】
近年、表示画面の前方に設けられるパネル型スピーカが実用化されている（例えば、特許文献１〜３参照。）。この種のパネル型スピーカをディスプレイ装置などに適用すると、表示画面とスピーカが一体化され、装置の小型化が可能になるだけでなく、画像と音を空間的に一致させて、高い臨場感を実現することができる。
【０００３】
通常、パネル型スピーカは、表示画面の前方を覆う透明パネルと、透明パネルを振動させるエキサイタとを備えており、透明パネルは、その振動を許容するために、スポンジなどの弾性部材を介して支持される。透明パネルの支持方法としては、透明パネルの裏面だけを支持する方法と、透明パネルの表裏両面を挟持状に支持する方法が知られている。
【０００４】
透明パネルの裏面だけを支持したものでは、透明パネルの表面全域を開放でき、音響特性が向上するなどの利点がある。
しかしながら、透明パネルの裏面だけを支持すると、透明パネルの表面全域が露出状態となるため、透明パネルが損傷しやすくなるだけでなく、透明パネルが外圧を受け、その圧力でエキサイタが破損する可能性がある。
【０００５】
そこで、図９及び図１０に示すように、透明パネルの裏面だけを支持するものであっても、透明パネルやエキサイタを保護可能なパネル型スピーカが提案される。このパネル型スピーカは、液晶モジュール１００の前方を覆う透明パネル１０１と、透明パネル１０１の裏面に取り付けられ、透明パネル１０１を振動させるエキサイタ１０２と、スポンジなどの弾性部材１０３、１０４を介して、透明パネル１０１及びエキサイタ１０２を弾性的に支持する支持パネル１０５とを備えて構成されている。
【０００６】
図１０に示すように、支持パネル１０５の外周部には、前方に突出する突出部１０５ａが一体形成されている。この突出部１０５ａは、透明パネル１０１の外周を囲むとともに、少なくとも一部が透明パネル１０１よりも前方に突出することによって、透明パネル１０１及びエキサイタ１０２を保護している。
【特許文献１】特表２００２−５１０１８２号公報
【特許文献２】特表２００２−５１１６８１号公報
【特許文献３】特表２００２−５３３９５７号公報
【発明の開示】
【発明が解決しようとする課題】
【０００７】
しかしながら、図９及び図１０に示すパネル型スピーカでは、支持パネル１０５の突出部１０５ａが、ディスプレイ装置などの外観を構成することになるため、以下のような問題点がある。
【０００８】
第一の問題点は、メンテナンス性の低下である。
例えば、突出部１０５ａが損傷し、支持パネル１０５の交換が必要となった場合、支持パネル１０５から透明パネル１０１、エキサイタ１０２、弾性部材１０３、１０４などを取り外さなければならない。
特に、透明パネル１０１は、高価な部品であるため、再利用が望ましく、その際には、透明パネル１０１から埃やゴミを丁寧に取り除く必要があり、非常に手間がかかる作業となる。
【０００９】
また、エキサイタ１０２は、外圧に対して非常にシビアな部品であり、取り外しの際に力加減を誤ると、エキサイタ内部が破損し、再利用が困難になる。
また、弾性部材１０３、１０４も、一度取り外すと千切れてしまい、再利用は不可能である。
したがって、支持パネル１０５を交換するだけでも、大掛かりな作業や部品交換が必要であり、メンテナンス性が問題となる。
【００１０】
第二の問題点は、汎用性の低下である。
パネル型スピーカは、表示画面を持つ装置であれば適用可能であるため、様々な装置への流用や、ＯＥＭ供給が想定される。
しかしながら、図９及び図１０に示すパネル型スピーカでは、支持パネル１０５の突出部１０５ａが装置の外観を構成するため、適用する装置ごとに専用の支持パネル１０５を設計して製造しなければならず、大幅なコストアップとなる。
【００１１】
本発明は、上記の事情にかんがみなされたものであり、透明パネルの裏面だけを支持するものでありながら、透明パネルやエキサイタを保護できるだけでなく、メンテナンス性及び汎用性の低下を回避することができるパネル型スピーカ、ディスプレイ装置及び折り畳み式情報処理装置の提供を目的とする。
【課題を解決するための手段】
【００１２】
上記目的を達成するため本発明のパネル型スピーカは、表示画面の前方に設けられるパネル型スピーカであって、前記表示画面の前方を覆う透明パネルと、前記透明パネルの裏面に取り付けられ、前記透明パネルを振動させるエキサイタと、前記透明パネルの裏側で、前記透明パネル及び前記エキサイタを弾性的に支持する支持パネルと、前記透明パネルを支持することなく、前記透明パネルの外周を囲み、少なくとも一部が前記透明パネルよりも前方に突出する外装部材とを備える構成としてある。
【００１３】
このようにすると、透明パネルの裏面だけを支持するものでありながら、透明パネルの外周を囲む外装部材によって、透明パネルやエキサイタを保護することができる。
また、外装部材は、支持パネルと別体であり、単体で交換が可能であるため、外装部材の交換に際し、透明パネル、エキサイタ、弾性部材などの取り外しを不要にして、メンテナンス性を向上させることができる。
また、デザインが異なる装置への流用やＯＥＭ供給に際し、支持パネルを設計変更することなく、外装部材の設計変更で対応することが可能になるため、パネル型スピーカの汎用性を高めることができる。
【００１４】
また、上記目的を達成するため本発明のディスプレイ装置は、表示画面の前方にパネル型スピーカを備えるディスプレイ装置であって、前記パネル型スピーカが、前記表示画面の前方を覆う透明パネルと、前記透明パネルの裏面に取り付けられ、前記透明パネルを振動させるエキサイタと、前記透明パネルの裏側で、前記透明パネル及び前記エキサイタを弾性的に支持する支持パネルとを備え、前記ディスプレイ装置の外観を構成する外装部材が、前記透明パネルを支持することなく、前記透明パネルの外周を囲み、少なくとも一部が前記透明パネルよりも前方に突出する構成としてある。
【００１５】
このようにすると、透明パネルの裏面だけが支持されるパネル型スピーカを適用するものでありながら、透明パネルの外周を囲む外装部材によって、パネル型スピーカの透明パネルやエキサイタを保護することが可能になる。
また、外装部材は、支持パネルと別体であるため、透明パネル、エキサイタ、弾性部材などを取り外すことなく、単体で交換することができる。これにより、外装部材の交換を容易にし、メンテナンス性を向上させることができる。
また、ディスプレイ装置のデザイン変更に際し、パネル型スピーカを変更することなく、外装部材の設計変更で対応できるため、デザイン変更が容易になるとともに、大幅なコストダウンが可能になる。
【００１６】
また、本発明のディスプレイ装置は、前記外装部材が、前記支持パネル及び／又は前記ディスプレイ装置の背面外装部材に着脱自在に取り付けられる構成としてある。
このようにすると、外装部材の着脱が容易になり、メンテナンス性を更に向上させることができる。
【００１７】
また、上記目的を達成するため本発明の折り畳み式情報処理装置は、ヒンジ部を介して折り畳み自在に連結される複数の筐体と、少なくとも一つの前記筐体に設けられる表示画面と、その前方に設けられるパネル型スピーカとを備える折り畳み式情報処理装置であって、前記パネル型スピーカが、前記表示画面の前方を覆う透明パネルと、前記透明パネルの裏面に取り付けられ、前記透明パネルを振動させるエキサイタと、前記透明パネルの裏側で、前記透明パネル及び前記エキサイタを弾性的に支持する支持パネルとを備え、前記折り畳み式情報処理装置の外観を構成する外装部材が、前記透明パネルを支持することなく、前記透明パネルの外周を囲み、少なくとも一部が前記透明パネルよりも前方に突出する構成としてある。
【００１８】
このようにすると、透明パネルの裏面だけが支持されるパネル型スピーカを適用するにあたり、透明パネルの外周を囲む外装部材によって、パネル型スピーカの透明パネルやエキサイタを保護することができる。
また、外装部材は、支持パネルと別体であり、単体で交換することが可能であるため、外装部材の交換に際し、透明パネル、エキサイタ、弾性部材などの取り外しが不要となり、メンテナンス性を向上させることができる。
また、折り畳み式情報処理装置のデザインを変更する際には、パネル型スピーカを変更せずに、外装部材のデザインを変更すればよいため、デザイン変更が容易になるだけでなく、大幅なコストダウンを図ることができる。
【００１９】
また、本発明の折り畳み式情報処理装置は、前記外装部材が、前記支持パネル及び／又は前記折り畳み式情報処理装置の背面外装部材に着脱自在に取り付けられる構成としてある。
このようにすると、外装部材の着脱が容易になり、メンテナンス性を更に向上させることができる。
【００２０】
また、本発明の折り畳み式情報処理装置は、前記外装部材に、前記ヒンジ部を覆うヒンジカバーが一体的に形成される構成としてある。
このようにすると、外装部材が、透明パネルやエキサイタの保護部材として機能するだけでなく、ヒンジカバーとしても機能することになるため、ヒンジカバーを別部材で構成する場合に比べ、部品点数の削減やコストダウンが可能になる。
【発明の効果】
【００２１】
以上のように、本発明によれば、透明パネルの裏面だけを支持するものでありながら、支持パネルと別体に構成される外装部材で透明パネルの外周を囲み、透明パネルやエキサイタを保護するようにしたので、外装部材の交換に際し、透明パネル、エキサイタ、弾性部材などの取り外しを不要にして、メンテナンス性を向上させることができる。
また、デザインが異なる装置への流用やＯＥＭ供給に際し、支持パネルの設計変更が不要であるため、パネル型スピーカの汎用性も向上させることができる。
【発明を実施するための最良の形態】
【００２２】
以下、本発明の実施形態について、図面を参照して説明する。
【００２３】
［パネル型スピーカ］
まず、本発明に係るパネル型スピーカの実施形態について、図１及び図２を参照して説明する。
図１は、パネル型スピーカの分解斜視図、図２は、パネル型スピーカの要部断面図である。
【００２４】
これらの図に示すように、パネル型スピーカ１０は、透明パネル１１、エキサイタ１２、弾性部材１３、１４、支持パネル１５及び外装部材１６を備えて構成され、液晶モジュール２０（表示画面）の前方に設けられる。
本実施形態では、透明パネル１１、エキサイタ１２、弾性部材１３、１４、支持パネル１５及び液晶モジュール２０で予め内蔵型モジュール３０を構成し、この状態でディスプレイ装置や折り畳み式情報処理装置に組み込むが、パネル型スピーカ１０の組み込み方法は、これに限定されない。
【００２５】
透明パネル１１は、液晶モジュール２０の前方を覆うものであり、透明パネル１１を介して、液晶モジュール２０の表示画面が目視される。
透明パネル１１のサイズは、液晶モジュール２０の表示画面よりも大きく、かつ、表示画面対向領域の外側にエキサイタ１２が取り付け可能であれば、特に制限はない。
また、透明パネル１１は、全域が透明である必要はなく、少なくとも表示画面対向領域が透明であればよい。
【００２６】
エキサイタ１２は、マグネットとボイスコイルを備える励振部材であり、透明パネル１１を励振することにより、透明パネル１１から音を発生させる。
本実施形態のパネル型スピーカ１０は、二個のエキサイタ１２を有しており、これらのエキサイタ１２が、接着剤などを用いて、透明パネル１１の裏面に左右振り分け状に固着されている。
【００２７】
弾性部材１３、１４は、いずれも弾性変形可能なスポンジなどを用いて形成されている。
弾性部材１３は、透明パネル１１よりも僅かに小さい枠形状を有し、接着剤などを用いて、透明パネル１１の裏面と支持パネル１５の前面との間に固着される。
弾性部材１４は、エキサイタ１２の形状に合せて環状に形成されており、接着剤などを用いて、エキサイタ１２の背面と支持パネル１５の前面との間に固着される。
【００２８】
支持パネル１５は、液晶モジュール２０の表示画面対向領域に角孔１５ａを有する枠状の部材であり、角孔１５ａの左右両側には、エキサイタ１２を取り付けるための凹部１５ｂが形成されている。なお、エキサイタ１２が薄型の場合には、凹部１５ｂを省略してもよい。
そして、支持パネル１５は、弾性部材１３を介して、透明パネル１１の裏面を弾性的に支持するとともに、弾性部材１４を介して、エキサイタ１２の背面を弾性的に支持することにより、パネル型スピーカ１０を構成しており、更に、支持パネル１５の背面に液晶モジュール２０を取り付けることにより、内蔵型モジュール３０が構成される。
【００２９】
外装部材１６は、透明パネル１１を支持することなく、透明パネル１１の外周を囲む枠形状のものであり、パネル型スピーカ１０が組み込まれる装置の外観を構成する部材である。
図２に示すように、外装部材１６は、支持パネル１５や背面外装部材に取り付けられたとき、少なくとも一部が透明パネル１１よりも前方に突出するように形成されている。これにより、透明パネル１１の裏面だけを支持するものであっても、透明パネル１１の外周を囲む外装部材１６によって、透明パネル１１やエキサイタ１２を保護することが可能になる。
【００３０】
しかも、外装部材１６は、支持パネル１５と別体であり、単体で交換が可能である。これにより、外装部材１６の交換に際し、透明パネル１１、エキサイタ１２、弾性部材１３、１４などの取り外しが不要になる。
また、支持パネル１５は、装置の外観を構成しないので、デザインが異なる装置への流用やＯＥＭ供給に際し、外装部材１６の変更だけで対応することが可能になる。
【００３１】
なお、外装部材１６は、支持パネル１５や背面外装部材に対して着脱容易に固定されることが好ましい。外装部材１６の固定手段としては、例えば、ネジやスナップフィットを用いることができる。
【００３２】
［ディスプレイ装置］
つぎに、パネル型スピーカ１０が適用されたディスプレイ装置について、図３〜図５を参照して説明する。
なお、本発明のディスプレイ装置は、パソコン用ディスプレイに限定されず、液晶テレビ、ディスプレイ一体型パソコンなどにも適用することができる。
図３は、ディスプレイ装置の斜視図、図４は、外装部材及び内蔵型モジュールを取り外したディスプレイ装置の分解斜視図、図５は、外装部材を取り外したディスプレイ装置の分解斜視図である。
【００３３】
これらの図に示すように、ディスプレイ装置４０は、本体４１とスタンド４２を備えて構成されている。
図４に示すように、本体４１は、背面外装部材４３に、前記内蔵型モジュール３０を組み込んだ後、外装部材１６を取り付けて構成される。
このとき、外装部材１６は、ネジ、スナップフィットなどの固定手段を用いて、支持パネル１５及び／又は背面外装部材４３に着脱自在に取り付けられる。
【００３４】
ディスプレイ装置４０に取り付けられた外装部材１６は、透明パネル１１を支持することなく、透明パネル１１の外周を囲み、ディスプレイ装置４０の外観を構成するだけでなく、少なくとも一部が透明パネル１１よりも前方に突出し、透明パネル１１やエキサイタ１２を保護している。
例えば、ディスプレイ装置４０が前方に倒れたとき、透明パネル１１よりも先に外装部材１６が卓上面に当たることにより、透明パネル１１の損傷が回避される。また、透明パネル１１に大きな外圧が作用することも回避されるので、外圧によるエキサイタ１２の破損も防止することが可能になる。
【００３５】
また、外装部材１６は、支持パネル１５と別体であるため、図５に示すように、単体での交換が可能となっている。これにより、外装部材１６の交換に際し、透明パネル１１、エキサイタ１２、弾性部材１３、１４などの取り外しが不要になり、ディスプレイ装置４０のメンテナンス性を向上させることができる。
【００３６】
また、ディスプレイ装置４０のデザインを変更する場合には、内蔵型モジュール３０（パネル型スピーカ１０）を変更することなく、外装部材１６の変更だけで対応することが可能である。これにより、内蔵型モジュール３０（パネル型スピーカ１０）の汎用性が高められるだけでなく、ディスプレイ装置４０のコストダウンを図ることができる。
なお、内蔵型モジュール３０（パネル型スピーカ１０）をＯＥＭ供給する場合は、内蔵型モジュール３０（パネル型スピーカ１０）を固定情報や外装部材１６の設計情報をＯＥＭ先に提供し、ＯＥＭ先で外装部材１６の設計・製造を行うようにしてもよい。
【００３７】
［折り畳み式情報処理装置］
つぎに、パネル型スピーカ１０が適用された折り畳み式情報処理装置について、図６〜図８を参照して説明する。
なお、本実施形態では、折り畳み式情報処理装置の例としてノートパソコンを示すが、本発明の折り畳み式情報処理装置は、ノートパソコンに限らず、折り畳み式の携帯電話機、ＰＤＡ、ビデオ再生装置、ＤＶＤ再生装置などにも適用することができる。
図６は、折り畳み式情報処理装置の斜視図、図７は、外装部材及び内蔵型モジュールを取り外した折り畳み式情報処理装置の分解斜視図、図８は、外装部材を取り外した折り畳み式情報処理装置の分解斜視図である。
【００３８】
これらの図に示すように、折り畳み式情報処理装置５０は、ヒンジ部５１を介して折り畳み自在に連結される複数の筐体５２、５３を備えて構成されている。
一方の筐体５２は、マザーボード、ハードディスク、キーボードなどを組み込んで構成され、他方の筐体５２は、図７に示すように、背面外装部材５４に、前記内蔵型モジュール３０を組み込んだ後、外装部材１６を取り付けて構成される。
このとき、外装部材１６は、ネジ、スナップフィットなどの固定手段を用いて、支持パネル１５及び／又は背面外装部材５４に着脱自在に取り付けられる。
【００３９】
折り畳み式情報処理装置５０に取り付けられた外装部材１６は、透明パネル１１を支持することなく、透明パネル１１の外周を囲み、ディスプレイ装置４０の外観を構成するだけでなく、少なくとも一部が透明パネル１１よりも前方に突出し、透明パネル１１やエキサイタ１２を保護している。
例えば、一方の筐体５３を折り畳んだとき、透明パネル１１よりも先に外装部材１６が他方の筐体５２に当たることにより、透明パネル１１の損傷が回避される。また、透明パネル１１に大きな外圧が作用することも回避されるので、外圧によるエキサイタ１２の破損も防止することが可能になる。
【００４０】
また、外装部材１６は、支持パネル１５と別体であるため、図８に示すように、単体での交換が可能となっている。これにより、外装部材１６の交換に際し、透明パネル１１、エキサイタ１２、弾性部材１３、１４などの取り外しが不要になり、折り畳み式情報処理装置５０のメンテナンス性を向上させることができる。
【００４１】
また、折り畳み式情報処理装置５０のデザインを変更する場合には、内蔵型モジュール３０（パネル型スピーカ１０）を変更することなく、外装部材１６の変更だけで対応することが可能である。これにより、内蔵型モジュール３０（パネル型スピーカ１０）の汎用性が高められるだけでなく、折り畳み式情報処理装置５０のコストダウンを図ることができる。
【００４２】
また、本実施形態では、外装部材１６の下端部に、ヒンジ部５１を覆うヒンジカバー１６ａが一体的に形成してある。このようにすると、外装部材１６が、透明パネル１１やエキサイタ１２の保護部材として機能するだけでなく、ヒンジカバー１６ａとしても機能することになる。これにより、ヒンジカバー１６ａを別部材で構成する場合に比べ、部品点数の削減やコストダウンが可能になる。
【産業上の利用可能性】
【００４３】
本発明は、表示画面の前方に設けられるパネル型スピーカに適用され、特に、表示画面の前方にパネル型スピーカを備えるディスプレイ装置や折り畳み式情報処理装置に好適である。
【図面の簡単な説明】
【００４４】
【図１】パネル型スピーカの分解斜視図である。
【図２】パネル型スピーカの要部断面図である。
【図３】ディスプレイ装置の斜視図である。
【図４】外装部材及び内蔵型モジュールを取り外したディスプレイ装置の分解斜視図である。
【図５】外装部材を取り外したディスプレイ装置の分解斜視図である。
【図６】折り畳み式情報処理装置の斜視図である。
【図７】外装部材及び内蔵型モジュールを取り外した折り畳み式情報処理装置の分解斜視図である。
【図８】外装部材を取り外した折り畳み式情報処理装置の分解斜視図である。
【図９】従来例を示すパネル型スピーカの分解斜視図である。
【図１０】従来例を示すパネル型スピーカの要部断面図である。
【符号の説明】
【００４５】
１０  パネル型スピーカ
１１  透明パネル
１２  エキサイタ
１３  弾性部材
１４  弾性部材
１５  支持パネル
１６  外装部材
１６ａ  ヒンジカバー
２０  液晶モジュール
３０  内蔵型モジュール
４０  ディスプレイ装置
４３  背面外装部材
５０  折り畳み式情報処理装置
５１  ヒンジ部
５２  筐体
５３  筐体
５４  背面外装部材
【図１】
2005197868.tif 000003
【図２】
2005197868.tif 000004
【図３】
2005197868.tif 000005
【図４】
2005197868.tif 000006
【図５】
2005197868.tif 000007
【図６】
2005197868.tif 000008
【図７】
2005197868.tif 000009
【図８】
2005197868.tif 000010
【図９】
2005197868.tif 000011
【図１０】
2005197868.tif 000012